(57)【要約】監視システムは一以上のカメラシステムを含み、少なくとも幾つかのカメラシステムは、画像を生成するために光を捕捉しそれを処理する光学要素を含むカメラ、光を受光して光を電気信号に処理し、そして信号を定義された形式にコード化するカメラ処理回路、及びカメラシステムに電力を供給する電力管理回路を含み、前記電力管理システムは、第1の電力インターフェース、及び第２の電力インターフェース、及び第1及び第２のビデオ出力インターフェースを備える。【選択図】図１
2017512021.tif 000002
【特許請求の範囲】
【請求項１】
カメラシステムであって、前記カメラシステムは、
画像を生成するために光エネルギーを捕捉しそれを処理する光学要素を含むカメラ、
光エネルギーを受領して光エネルギーを電気信号に処理し、そして信号を定義された形式にコード化するカメラ処理回路、及び
カメラシステムに電力を供給する電力管理回路を含み、
前記電力管理システムは、
第１の電力インターフェース、
第２の、異なる電力インターフェース、及び
第１のインターフェースから電力の喪失又は差し迫った喪失の検出時に、第１の電力インターフェースから第２の電力インターフェースに切り替えるための回路を含む、前記カメラシステム。
【請求項２】
さらに、ビデオローカル記憶装置を含む請求項１のシステム。
【請求項３】
さらに、ローカル電力保存装置を含む請求項１のシステム。
【請求項４】
請求項１のシステムであって、第１の電力インターフェースは、通常の建物の電力に接続するように構成されている通常の電力動作インターフェースであり、第２の電力インターフェースは、火災パネルに接続するように構成されている緊急電力入力インターフェースである、前記システム。
【請求項５】
さらに、第１のビデオ出力インターフェース及び第２の、異なるビデオ出力インターフェースを含む請求項１のシステム。
【請求項６】
カメラシステムであって、前記カメラシステムは、
光を受光して、光を処理して画像を生成するための光学要素を含むカメラ、光を受光して、光を電気信号に処理し、そして信号を定義された形式に符号化するカメラ処理回路、
カメラシステムの電力を管理する電力管理回路、
第１のビデオ出力インターフェース、及び
第２の、異なるビデオ出力インターフェースを含む、前記カメラシステム。
【請求項７】
さらに、ビデオローカル記憶装置を含む請求項６のシステム。
【請求項８】
前記第１および第２の出力インターフェースの一つは、ワイアレス  ネットワーク接続を提供するための回路を備えている請求項６のシステム。
【請求項９】
第１のビデオ出力インターフェースは、通常のビデオ出力インターフェースであり、第２のビデオ出力インターフェースは、緊急ビデオ出力インターフェースである請求項６のシステム。
【請求項１０】
監視システムであって、前記監視システムは、
１以上のカメラシステムを備え、
前記カメラシステムの少なくともいくつかは、
光を捕捉し、そして光を処理し画像を生成する光学要素を含むカメラ素子、  
光を受光しそして光を電気信号に処理し、そして信号を定義された形式に符号化するカメラ処理回路、及び
カメラシステムに電力を供給する電力管理回路を含み、
前記電力管理システムは、
第１の電力インターフェース、
第２の、異なる電力インターフェース、及び
第１のインターフェースからの電力の喪失、及び電力の差し迫った喪失の検出時に、第１の電力インターフェースから第２の電力インターフェースに切り替える回路を含み、
第１のビデオ出力インターフェース、及び
第２の、異なるビデオ出力インターフェースを、
含む前記監視システム。
【請求項１１】
請求１０のシステムであって、前記第１のインターフェースは、通常の建物の電力に接続するように構成された通常の電力動作インターフェースであり、第２のインターフェースは、防火パネルに接続するように構成される緊急電力入力インターフェースであり、そして第１の出力インターフェースは緊急出力インターフェースであり、第２の出力インターフェースは通常の出力インターフェースである、前記システム。
【請求項１２】
前記第１のインターフェースは、緊急時にのみカメラに電力を供給するローカル電力貯蔵要素である請求項１０のシステム。
【請求項１３】
前記ローカル電力貯蔵要素は、ローカル貯蔵要素に電力を供給する電力回収要素によって供給される請求項１２のシステム。
【請求項１４】
前記ローカル電力貯蔵要素は、建物の電力により電力が供給される請求項１２のシステム。
【請求項１５】
請求項１０のシステムであって、さらに、
センサノード、及び
１以上のビデオカメラをモニタに、及びセンサノードをモニタユニットに結合させるためにワイアレス  センサ  ネットワークを備える、前記システム。
【発明の詳細な説明】
【背景技術】
【０００１】
この出願は、３５  Ｕ．Ｓ．Ｃ．  １１９（ｅ）の下に、２０１４年４月２日に出願された、発明の名称を「ワイヤレス  センサネット  ワーク」とする米国仮特許出願６１／９７３，９６２、及び２０１４年２月２８日に出願された、発明の名称を「ワイヤレス  センサネットワーク」とする米国仮特許出願６１／９４６，０５４、及び２０１４年８月２０日に出願された、発明の名称を「緊急ビデオカメラシステム」とする米国特許出願１４／４６３，８７７の優先権を主張する。これらの出願の全ての内容は参照により本明細書に組み込まれる。
【０００２】
この明細書の記載はセキュリティおよび監視システムの動作に関するものである。企業や住宅所有者は、その施設にアラーム状態を検出し、監視ステーションまたはセキュリティシステムの許可されたユーザに、状態について信号を送るためのセキュリティシステムを持っていることが一般的である。セキュリティシステムは、多くの場合、電気的に又は無線で様々なセンサに接続された侵入検出パネルを含む。これらのセンサの種類には、典型的には、動き検出器、カメラ、及び近接センサ（ドアや窓が開かれているかどうかを決定するために使用される）を含む。
【発明の概要】
【０００３】
従来の監視用ビデオカメラシステムは、電力が利用可能である場合に、建物内の通常の動作モードに適する様に設計されている。典型的な従来のビデオ監視システムでは、ビデオカメラシステムの構成要素は、建物の電源から電力をとる。これは、通常は問題とならない。何故なら、建物の電源は一般的に非常に信頼性が高く、そしてバックアップ発電機によってバックアップすることもできるからである。緊急事態時、特に、火災や爆発の可能性を伴う緊急事態時に緊急対応装置は通常建物の電源を切断する。火災検出システムでは、建物の占有者に緊急通報、緊急照明、及び避難のための音声指示をする緊急避難システムに建物の電力を供給するように設計されている。
【０００４】
バッテリバックアップがされていない従来のビデオシステムの主要な限界の１つは、建物の電源が遮断されると、避難の状態の監視を支援するための「ルック・イン」、発煙・発火を探すこと、又は人々が閉じ込められている領域を見ることができるビデオ画像（静止画または連続画像）が利用できないことである。
【０００５】
ある態様によれば、カメラシステムは、画像を生成するために光エネルギーを捕捉しそれを処理する光学要素を含むカメラ、光エネルギーを受領して光エネルギーを電気信号に処理し、そして信号を定義された形式にコード化するカメラ処理回路、及びカメラシステムに電力を供給する電力管理回路を含む。
【０００６】
電力管理システムは、第１の電力インターフェース、第２の、異なる電力インターフェース、及び第１のインターフェースから電力の喪失又は差し迫った喪失の検出時に、第１の電力インターフェースから第２の電力インターフェースに切り替えるための回路を含む。
【０００７】
以下の記載は、この態様の範囲内のいくつかの実施形態を示す。
【０００８】
このシステムは、ビデオローカル記憶装置を含む。本システムは、ローカル電力貯蔵装置を含む。第１の電力インターフェースは、通常の建物の電力に接続するように構成されている通常の電力動作インターフェースであり、第２の電力インターフェースは、火災パネルに接続するように構成されている緊急電力入力インターフェースである。このシステムは、第１のビデオ出力インターフェース及び第２の、異なるビデオ出力インターフェースを含む。
【０００９】
さらなる態様において、カメラシステムは、光を受光して、光を処理してビデオを生成するための光学要素を含むカメラ、光を受光して、光を電気信号に処理し、そして信号を定義されたフォーマットに符号化するカメラ処理回路、及びカメラシステムの電力を管理する電力管理回路を含む。電力管理システムは、第１のビデオ出力インターフェース及び第２の、異なるビデオ出力インターフェースを含む。
【００１０】
以下は、前記態様の範囲内のいくつかの実施形態である。
【００１１】
前記システムは、ビデオローカル記憶装置を含む。第１および第２の出力インターフェースの一つは、ワイアレス  ネットワーク接続を提供するための回路を備えている。第１のビデオ出力インターフェースは、通常のビデオ出力インターフェースであり、第２のビデオ出力インターフェースは、緊急ビデオ出力インターフェースである。ある一態様によれば、監視システムには１以上のカメラシステムを備え、前記カメラシステムのいくつかはカメラ素子を含み、前記カメラ素子は光を捕捉し、そして光を処理し画像を生成する光学要素、光を受光しそして光を電気信号に処理し、そして信号を定義されたフォーマットに符号化するカメラ処理回路、及びカメラシステムに電力を供給する電力管理回路を備える。
【００１２】
電力管理システムは、第１の電力インターフェース、第２の、異なる電力インターフェース、及び第１のインターフェースからの電力の喪失、及び電力の差し迫った喪失の検出時に、第１の電力インターフェースから第２の電力インターフェースに切り替える回路を備える。システムはまた、第１のビデオ出力インターフェース及び第２の、異なるビデオ出力インターフェースを含む。
【００１３】
以下は、前記態様の範囲内のいくつかの実施形態である。
【００１４】
第１のインターフェースは、通常の建物の電力に接続するように構成された通常の電力動作インターフェースであり、第２のインターフェースは、防火パネルに接続するように構成される緊急電力入力インターフェースである。第１の出力インターフェースは、緊急出力インターフェースであり、第２の出力インターフェースは、通常の出力インターフェースである。第１のインターフェースは、緊急時にのみカメラに電力を供給するローカル電力貯蔵要素である。ローカル電力貯蔵要素は、ローカル貯蔵要素に電力を供給する電力回収要素によって供給される。ローカル電力貯蔵要素は、建物の電力により電力が供給される。本システムは、１以上のビデオカメラをモニタに、センサノードをモニタユニットに結合させるためにセンサノードとワイアレス  センサ  ネットワークを備える。
【００１５】
本明細書は、非常用ビデオカメラ及びシステムを含むビデオ監視システムについて記載し、非常用ビデオカメラ及びシステムは、電力と通信の停止中に、火災報知システムにより提供されるバックアップ電力網を用いて、運転のためにビデオ情報へのアクセスを可能にする。本発明の１以上の実施形態の詳細は、添付の図面及び以下の説明に記載される。本発明の他の特徴、目的、及び利点は、明細書および図面から、および特許請求の範囲から明らかになる。
【図面の簡単な説明】
【００１６】
【図１】図１は緊急時カメラ要素のブロック図である。
【図２】図２−５は、図１の緊急時カメラ要素を組み込んだカメラシステムのブロック図である。
【図３】図２−５は、図１の緊急時カメラ要素を組み込んだカメラシステムのブロック図である。
【図４】図２−５は、図１の緊急時カメラ要素を組み込んだカメラシステムのブロック図である。
【図５】図２−５は、図１の緊急時カメラ要素を組み込んだカメラシステムのブロック図である。
【図６】図６は、ネットワーク化されたセキュリティシステムの例の構成要素のブロック図である。
【発明を実施するための形態】
【００１７】
本明細書は、セキュリティ／侵入及び警報システムを含み、それらに限定されない様々な文脈で使用される特徴を持つ緊急時カメラの例について記載する。セキュリティシステムの例には、電気的に又は無線により各種センサに接続された侵入検出パネルを含んでも良い。これらのセンサの種類には、動き検出器、カメラ、近接センサ（例えば、ドアや窓が開かれたかどうかを決定するために使用される）を含むことができる。典型的には、そのようなシステムは、監視されている特定の状態が変更されたかまたは不確実になっていることを示すために、１以上のこれらのセンサから比較的単純な信号（電気的にオープンまたはクローズ）を受信する。例えば、建物内の入り口ドアを監視するために、典型的な侵入システムを設定することができる。ドアが閉まっているとき、近接センサは、磁気接触を感知し、電気的に閉回路を生成する。ドアが開いているとき、近接センサは回路を開き、パネルにアラーム状態が発生した（例えば、入口ドアが開いた）ことを示す信号を送る。
【００１８】
データ収集システムは、家庭の安全監視などの様ないくつかの用途において、より一般的になってきている。データ収集システムは、ワイアレス  センサ  ネットワークと無線装置を使用し、リモートサーバベースの監視およびレポート生成を含むことができる。
以下に、より詳細に記載されるように、ワイアレス  センサネット  ワークは、一般に、コンピュータ装置間を有線および無線リンクの組み合わせを使用し、無線リンクは、通常、最低レベルの接続（例えば、エンドノードデバイスのハブ／ゲイトウエイとの接続）に使用される。ネットワークの例では、ネットワークのエッジ（ワイヤレスで接続された）階層は、特定の機能を持つ資源の制約された装置で構成されている。これらの装置は、小から中程度の処理能力とメモリ量を有することができ、電池により駆動されてもよく、したがって、それらは、スリープモードでその時間の多くを費やすことによってエネルギーを節約することが必要である。代表的なモデルでは、エッジデバイスが、単一のワイアレス  ネットワークを形成しており、そこでは、各エンドノードはハブアンドスポークスタイル（ｈｕｂ−ａｎｄ−ｓｐｏｋｅ−ｓｔｙｌｅ）ア−キテクチャで親ノードと直接通信する。親ノードは、例えば、ゲートウェイ上のアクセスポイントまたはサブコーディネータであり、これらは、順に他のアクセスポイント又は他のサブコーディネータに接続される。
【００１９】
図１を参照すると、緊急ビデオカメラ１０は、レンズ１２、カメラ本体またはケース１３、光学系１４、ビデオエンコーダ１６、電力管理回路１８、画像処理および画像品質管理のためのカメラブロック回路２０およびビデオローカル記憶装置２２を含む。ビデオカメラ１０は、また、ローカル電力貯蔵２４、例えば，バッテリバックアップ電源を備えている。
【００２０】
緊急ビデオカメラ要素は、ビデオエンコーダ、光学系、及び画像処理および画像品質管理のためのカメラブロック回路に関して従来の方法で動作する。緊急ビデオカメラ要素は、また、通常モード電力入力インターフェース２６及び通常モードビデオ出力インターフェース２８を含むことができる。緊急ビデオカメラ要素は、また、緊急電力入力インターフェース３０と緊急ビデオ出力インターフェース３２を含む。緊急ビデオ出力インターフェース３２は、中央システムにビデオデータを送るために使用され、そして、有線または無線のいずれか（または両方）で接続されてもよい。緊急電力入力インターフェースは緊急用電源に接続されており、例えば、通常の建物用の電力供給が遮断された場合の、少なくとも緊急事態時に、緊急ビデオカメラ１０に電力を供給する。
【００２１】
特定の構成に応じて、緊急ビデオカメラ１０は、通常の入力電力入力インターフェース２６、即ち、これは電力を建物用の電源によって供給され、通常動作時に使用されるものであり、及び通常動作中に使用される通常のビデオ出力インターフェース２８を備える。緊急ビデオカメラ１０は、建物の電力が利用できない状況において、電源を提供するためにローカル電力貯蔵装置を備える。
【００２２】
緊急ビデオカメラ１０において、電源管理回路１８または他の回路１９のいずれかが、通常の建物の電力が失われたことを検出する（インターフェース２６から、または通常の建物の電力が失われたことを示すサーバから送信された信号から）。電力管理回路１８または他の回路は緊急ビデオカメラ１０に対して、自動的に緊急電力入力３０から電力を取得するように切り替えさせ、緊急ビデオ出力３２にビデオを提供するようする。代替的に、緊急ビデオカメラ１０は、上で議論したように、センサネットワークからのメッセージを介して、電力が失われた又は電力が緊急に失われることを感知して、緊急用電力や緊急用ビデオ出力に切り替える。図２を参照すると、一の実施態様４０において、緊急ビデオカメラ１０は、図１で説明したある構成要素を含んでおり、この要素は、緊急ビデオカメラ１０を、建物の通信ネットワークや建物の電源４１を使用して通常モードの動作をする従来の監視システムに接続させることができる。
【００２３】
この構成では、緊急ビデオカメラ要素はインターネットに接続されており、例えば、サイトビデオ保存およびトランスコーダ（ＤＶＲ）４２、ローカル建物ネットワーク４４、ファイアウォールおよび／またはルータおよび／またはモデム４６を介して、外部のインターネット又は他の広域ネットワーク（図示せず）に接続される。この緊急ビデオカメラ１０の実施形態４０においては、電力管理回路１８又は他の回路が、通常の建物の電力が失われたことを検出し、非常用電源や非常用ビデオ出力に切り替え、又はセンサネットワークからのメッセージにより電力が失われた又は電力が緊急に失われることを感知して、非常用電源や非常用ビデオ出力に切り替える。
【００２４】
緊急ビデオカメラ１０はまた、停電時に、カメラ１０に電力を供給するための代替電源を持っているとともに、別個の代替ビデオトランスポート及びトランスコード５２及び通信チャネル５４を持っている。非常用電力入力インターフェース３０は、バッテリバックアップ５８によって供給される火災パネルネットワーク５６に結合され、そして緊急ビデオ出力インターフェース３２は、ローカルの建物ネットワーク４４とは別個の別のネットワーク（図示せず）上の別個のビデオ・トランスポート（ｖｉｄｅｏ  ｔｒａｎｓｐｏｒｔ）及びトランスコード（ｔｒａｎｓｃｏｄｅ）、すなわち、インターネットへの緊急通信ネットワーク５４（図示せず）に結合される。緊急通信ネットワーク５４は、有線または無線通信路を含む多数の従来技術を含むことができるが、緊急通信ネットワーク５４は、物理的に、建物のネットワーク４４とは異なる。
【００２５】
火災パネルネットワーク５６は、また、外部モニタ装置、例えば、表示装置（図示せず）へのビデオの通信のための緊急通信ネットワーク５４のための電力並びにビデオ・トランスポートおよびトランスコード５２のための電力を供給する。このため、緊急ビデオカメラ１０は、建物ネットワーク４４と電源４１を用いて、通常の動作モードとする構成が可能であるのみならず、建物火災パネル５６と代替用ビデオ  トランスポート、トランスコード５２及び通信チャンネル５４からの緊急ビデオカメラ１０に電力を提供する代替的構成が可能である。
【００２６】
図３を参照すると、第２の実施形態６０は、緊急状態の間のみ動作するように接続された非常用ビデオカメラ１０を備える。
【００２７】
この実施形態６０では、カメラ１０は、ビデオ・トランスポートおよびトランスコード５２への電力だけでなく、インターネット（またはその他のネットワーク、例えば、広域ネットワーク）を介して、外部モニターへの映像の通信のための緊急通信ネットワーク５４に電力を供給する防火パネルネットワーク５６によって電力が供給される。緊急通信ネットワーク５４は、有線または無線の通信路を含む多数の従来技術であってもよい。
【００２８】
この実施形態６０では、緊急時ビデオカメラ１０は、防火パネルからの電力で連続的に動作するか、又は通常の建物の電力がない場合に起動され、そして防火パネルから電力インターフェース３０に供給される非常用電力を使用し、緊急ビデオ出力３２はビデオをビデオ・トランスポートおよびトランスコーダ５２に供給する。
【００２９】
図４を参照する。第３の実施形態７０では、緊急ビデオカメラ１０は、建物の電力グリッド及び内部のローカル電力貯蔵部２４（例えば、充電可能な大容量電池またはスーパーキャパシタ、すなわち、電気２重層キャパシタまたは電力貯蔵用の擬似キャパシタ）により、建物の電力の停電時の時間の間動作するように電力が供給される。この実施形態では、防火パネル５６及びバッテリバックアップ５８により電力を供給されるワイヤレス  ゲートウェイ６３への無線接続６１を有している。ゲートウェイ６３は、インターネットを介して外部モニタに映像（ｖｉｄｅｏ）を提供するために、ビデオ・トランスポートおよびトランスコーダ５２に供給する。
【００３０】
図５を参照する。第４の実施形態７０は、ローカルエネルギー回収要素７３、例えば、エネルギーを収集し、そしてローカルエネルギー貯蔵部２４にエネルギーを保存する太陽電池、ローカルエネルギー貯蔵部２４は、例えば、再充電可能な大容量の蓄電池又はスーパーキャパシタがある。スーパーキャパシタは、エネルギー保存のために使用される電気２重層キャパシタまたは擬似キャパシタである。
【００３１】
緊急時には、緊急用ビデオカメラ１０が作動され、エネルギー貯蔵素子２４により電力が供給される。この実施形態７０では、緊急時ビデオカメラ１０は、停電時にカメラ１０に給電するローカルエネルギー回収技術によって給電される。典型的なローカルエネルギー回収技術は充電式電池やスーパーキャパシタ２４での通常動作中にエネルギーを収集し、そして保存する太陽電池が含まれる。この実施形態では、防火パネル５６及びバッテリバックアップ５８により給電されるワイヤレス  ゲートウェイ６３への無線接続６１を有している。
【００３２】
ゲートウェイ６３は、インターネットを介してモニターにビデオを提供するために、ビデオ  トランスポートおよびトランスコーダ５２に供給する。緊急時カメラシステム１０は、任意の適切な光学系カメラシステムと、コンピュータ装置、または、命令を実行することのできる任意のインテリジェントデバイス（ｉｎｔｅｌｌｉｇｅｎｔ  ｄｅｖｉｃｅ）を用いて実行され、ネットワークに接続し、ネットワークを介してデータパケットを転送することが可能である。
【００３３】
上述の各処理は、実行可能な命令を記憶する永続的または非永続的コンピュータメモリのような、１以上の一時的でない機械可読媒体（ｎｏｎ−ｔｒａｎｓｉｔｏｒｙ  ｍａｃｈｉｎｅ−ｒｅａｄａｂｌｅ  ｍｅｄｉａ，）上に保存されてもよい。これらのそれぞれの装置は、本明細書に記載の機能の全てまたは一部を実施するための命令を実行する１以上の処理装置（例えば、マイクロプロセッサ、プログラム可能なロジック、特定用途向け集積回路など）を含むことができる。
【００３４】
図６は、ワイヤレス  センサ  ネットワーク（ＷＳＮ）上のセキュリティシステムの一例を示す。ＷＳＮにおいては、分散型ネットワーク１０は、論理的に一組の階層又は階層レベル１２Ａ〜１２Ｃに分割される。ネットワークの上階層又は階層１２ａには、「クラウドコンピューティング」パラダイムを実行するサーバおよび／または仮想サーバ１４が配置されており、「クラウドコンピューティング」パラダイムは、インターネットプロトコルの様な十分に確立されたネットワーキング技術を用いてネットワーク接続されているか、又はインターネットを使用しないか又はその一部を使用するプライベートネットワークを使用してネットワーク接続されていても良い。それらのサーバ１４上で実行されるアプリケーションは、Ｗｅｂインターネット  ネットワークＸＭＬ／ＳＯＡＰ、ＲＥＳＴｆｕｌウエブサービス、およびＨＴＴＰやＡＴＯＭなどの他のアプリケーション層技術のような種々のプロトコルを使用して通信する。分散型ネットワーク１０は、以下で説明するように装置（ノード）の間に直接リンクを持つ。分散型ネットワーク１０は、個々の建物や構造物の内部の中央、便利な場所に位置するゲートウェイ１６を含む、ここで言う中間層として呼称される、第２の論理的に分割された層または階層レベル１２ｂとを含んでいる。これらのゲートウェイ１６は、サーバがスタンドアロン専用サーバおよび／またはウエブプログラミング技術を使用して、クラウドアプリケーションを実行するクラウドベースのサーバであるかどうか問わず、上階層のサーバ１４と通信する。中間層ゲートウェイ１６はまた、ローカルエリアネットワーク１７ａ（例えば、Ｅｔｈｅｒｎｅｔまたは８０２．１１）およびセルラーネットワークインターフェース１７  ｂの両方に表示されている。
【００３５】
分散型ネットワークトポロジは、また完全に機能するセンサノード１８（例えば、無線装置、例えば、トランシーバまたは少なくとも送信機、これらは図６で“Ｆ”のマークで示すセンサノードを含む）、下階層（エッジ層）１２ｃのセットの装置、並びに制約された無線センサノードまたはセンサエンドノード２０（これらは図６で“Ｃ”のマークで示す）を含む。
【００３６】
いくつかの実施形態では、有線センサ（図示せず）は分散型ネットワーク１０の態様に含むことができる。本明細書中で使用される制約コンピュータ装置２０は、検出システムにおいて、実質的に、より持続性の小さいおよび揮発性メモリの他のコンピュータ装置を有する装置である。現在、制約されている装置の例としては、約１メガバイトより少ないフラッシュ／持続性メモリ、および１０から２０キロバイトより少ないＲＡＭ／揮発性メモリである。これらの制約されている装置２０は、このように構成されているが、これは、一般的にコスト／物理的な構成を考慮したものである。これらのタイプの制約されているデバイス２０は、一般的に静的なソフトウェアイメージ（すなわち、制約された装置にプログラムされたロジックは常に同じである）を持っている。
【００３７】
典型的なネットワークでは、ネットワークのエッジ（ワイヤレスで接続された）階層は特定の機能を有する高度に資源に制約のある装置で構成されている。これらの装置は、小から中程度の処理能力とメモリ量を持っており、しばしば電池で駆動されているので、その時間の多くをスリープモードで費やすことで、エネルギーを節約することが必要となる。典型的なモデルは以下のようなものである。すなわち、エッジデバイスは、一般的にその各エンドノードがハブアンドスポークスタイル  ア−キテクチャで親ノードと直接通信する単一のワイアレスネットワークを形成するものである。親ノードは、例えば、ゲートウェイ上のアクセスポイント、又は他のサブコーディネータであり、これらは、さらに、アクセスポイント又は他のサブコーディネータに接続される。各ゲートウェイは、物理的にそのアクセスポイントに取り付けられ、かつ、ワイアレス  ネットワーク内の他のノードへのワイアレス接続ポイントを提供しているアクセスポイント（完全に機能するノードまたは「Ｆ」ノード）を備えている。図６に示すリンク（番号が付されていない線で示す）は、装置間の直接的な（単一ホップネットワーク層）接続を表す。正式なネットワーク層（図６に示した３階層のそれぞれにおいて機能する）は、一つの装置からネットワークを介して他の装置にメッセージ（断片化または断片化されていない）を送信するために、ルーティング装置と共に一連のこれらの直接リンクを使用する。
【００３８】
ＷＳＮ１０は、下階層デバイス１８と２０上で動作するアプリケーション層への状態機械アプローチを実行する。以下ではこのようなアプローチの特定の実施の一例について説明する。状態機械における状態は、連携して実行する機能のセットで構成され、これらの機能は特定の下階層装置の状態機械における状態を変える為に個別に削除または置換もしくは追加することができる。
【００３９】
ＷＳＮ状態機能ベースのアプリケーション層は、装置を再起動することなく（いわゆる、“ダイナミックプログラミング”）、個々の機能をロードし、そして実行する（装置の起動後）ことを可能とするエッジデバイス  オペレーティングシステム（図示せず、しかし、上記の仮出願に開示されているような）を使用する。他の実施態様では、エッジデバイスは、そのようなシステムが、好ましくはエッジデバイスの再起動をせずに（装置の起動後）に個々の機能のロードと実行を可能にする場合には、他のオペレーティングシステムを使用することができる。図６に示すように、相関処理は、特定の制約されたノードから入力を受信する（これらはまた、完全に機能するノードであってもよい）。これらの入力は、認証情報およびビデオ情報を含み、その相関処理はネットワークを介して送信される相関結果を生成することができる。コンテキスト管理処理は、特定の制約されたノード（これらはまた、完全に機能するノードであってもよい）からの入力、例えば、認証情報およびビデオやグループ化情報を受信し、そしてコンテキスト処理を実行して、その結果をネットワーク上に送信する。ネットワークは、緊急時終了インジケータ、緊急時カメラ並びに分散型ルール処理とルールエンジン／メッセージング処理の動作をサポートする。範囲延長部（ｒａｎｇｅ  ｅｘｔｅｎｄｅｒ）は、例えば、ゲートウェイと共に使用され、そして示されるように、リアルタイム位置システムは、様々なセンサ（例えば、制約型）からの入力を受信する。サーバはクラウド・コンピュータの構成を介してＷＳＮへのインターフェースを提供し、及びいくつかのネットワークの一部はサブネットとして実行することができる。
【００４０】
センサは、何かが、センサの範囲の領域内で検出されたという表示に加えて、侵入検出パネルが、特定のセンサへの入力の大規模な分析を実行することを求められることなく、それらの情報がどの様なものであるかを評価するために使用することができる追加の詳細な情報を提供する。例えば、動き検出器は、部屋で移動している暖かい物体の熱シグニチャを分析して、その物体がヒトのものかペットのものであるかを決定する様に構成することができる。その分析の結果は、検出された物体についての情報を伝えるメッセージやデータであろう。
【００４１】
種々のセンサは、このように、侵入検出パネルにおいて真のまたは検証されたアラーム状態を検出するために、適宜組み合わせて、音、動き、振動、圧力、熱、イメージ等を感知するために使用される。
【００４２】
認識ソフトウェアは、ヒトであるオブジェクトと動物であるオブジェクトを区別するために使用することができる。さらに顔認識ソフトウェアは、ビデオカメラに組み込まれ、境界への侵入は、認証され、許可された個人によるものであることを確認するために使用することができる。このようなビデオカメラは、プロセッサ、メモリ、及びカメラによる入力（撮影画像）を処理するための認識ソフトウェアを含み、ビデオカメラで撮影された個人を認識し、又は認識しないことに関する情報を伝達するためのメタデータを生成する。処理はまた、代替的に又は追加的に、ビデオカメラによる撮影／監視される領域／内の個人の特徴に関する情報を含むことができる。このように、状況に応じて、前記情報は、強化された動き検出器と境界侵入の特徴を与えるセンサへの入力に対する強化された分析を行ったビデオカメラから受信したメタデータであるか、又はその物体の識別を確立することを求める非常に複雑な処理から得られるメタデータであろう。
【００４３】
侵入検出パネルがその処理能力を活用してアルゴリズムを実行して、仮想イメージや環境のシグニチャを構築することにより、環境を分析して、違反の妥当性についてインテリジェントな決定を行うことができる様に、センサ装置は、複数のセンサを統合してより複雑な出力を生成することができる。メモリは、侵入検出パネルのプロセッサによって使用されるプログラム命令及びデータを保存する。メモリは、ランダム・アクセス・メモリ及び読み出し専用メモリの適切な組合せであってもよく、適切なプログラム命令（例えばファームウェアまたはオペレーティングソフトウェア）、構成及び動作データをホストすることができ、そしてファイル・システムまたは他の形に編成することができる。
【００４４】
保存されたプログラム命令は、１以上のユーザを認証するための１以上の認証プロセスを含むことができる。パネルのメモリに保存されたプログラム命令は、ネットワーク通信およびデータネットワークへの接続の確立を可能にするソフトウェアコンポーネントを保存することができる。ソフトウェアコンポーネントは、例えば、インターフェース及びキーパッドを含む様々なインターフェースのドライバコンポーネント及びインターネットプロトコル（ＩＰ）スタックを含むことができる。接続を確立し、ネットワークを介して通信するに適した他のソフトウェアコンポーネントは当業者には明らかであろう。構成データと共にメモリに保存されるプログラム命令は、パネルの全体の動作を制御することができる。
【００４５】
監視サーバは、１以上の処理装置（例えば、マイクロプロセッサ）、ネットワークインターフェースおよびメモリ（すべて図示せず）を含む。監視サーバは、物理的に、ラック搭載カードの形をとることができ、１以上のオペレータ端末（図示せず）と通信することができる。監視サーバの例にはＳＵＲＧＡＲＤ（商標）のＳＧ−Ｓｙｓｔｅｍ  ＩＩＩ  Ｖｉｒｔｕａｌ、または同様のシステムである。
【００４６】
各監視サーバのプロセッサは、各監視サーバのコントローラとして動作し、各サーバと通信し、各サーバの全体の動作を制御する。
【００４７】
プロセッサは、監視サーバの全体の動作を制御するプロセッサ実行可能命令を保存するメモリを含む、またはそれと通信することができる。適切なソフトウェアは各監視サーバにアラームを受信させ、適切なアクションをとることを可能にする。ソフトウェアは、適切なインターネットプロトコル（ＩＰ）スタックおよびアプリケーション／クライアントを含むことができる。中央監視ステーションの各監視サーバは、アラームイベント等を処理するためにコントロールパネルおよび／またはユーザ装置と通信するＩＰアドレスと一以上のポートに関連付けることができる。監視サーバアドレスは静的（ｓｔａｔｉｃ）であり、従って、常に、侵入検出パネルに特定の一つの監視サーバを識別させることができる。代替的に、動的アドレスを使用して、ドメインネームサービスを通じて決定された静的ドメイン名に関連付けることができる。
【００４８】
ネットワークインタフェースカードは、着信信号を受信するために、ネットワークとインタフェースし、そして、例えば、イーサネット（登録商標）・ネットワーク・インタフェース・カード（ＮＩＣ）の形態をとることができる。サーバーは、アラームイベントを表す受信されたデータが人間のオペレータによる処理のために渡される、コンピュータ、シンクライアント（ｔｈｉｎ−ｃｌｉｅｎｔｓ）等であってもよい。監視ステーションは、さらに、データベース・エンジンの制御下にあるデータベースを備えた加入者データベースを有し、又はこれにアクセスすることができる。データベースは、監視ステーションによってサービスされるパネルのようなパネルに対するさまざまな加入者装置／プロセスに対応するエントリを含んでもよい。
【００４９】
本明細書に記載されるプロセスおよびそれらの様々な変形の全てまたは一部（以下、「処理」という。）は、コンピュータプログラム製品を介して、少なくとも部分的に実施することができる。すなわち、コンピュータプログラム製品は、１以上の有形の、物理的に有態の記憶装置の形で具現化されているものであり、それは、データ処理装置、例えば、プログラム可能なプロセッサ、コンピュータ、または複数のコンピュータにより実施され又はその動作を制御するための、コンピュータおよび／または機械可読記憶装置である。コンピュータプログラムは、コンパイルまたは解釈言語を含む任意の形のプログラム言語で書くことができ、それはスタンドアロンプログラムとして、またはモジュール、コンポーネント、サブルーチン、またはコンピュータ環境使用に適した他のユニットを含む、任意の形態で展開することができる。コンピュータプログラムは、１つのサイトの１つのコンピュータまたは複数のコンピュータ上で実行される様に展開されるか、または複数のサイトに分散し、そしてネットワークにより相互接続されるようにすることができる。
【００５０】
プロセスの実施に関連する動作は、較正プロセスの機能を実行するために１以上のコンピュータプログラムを実行する１以上のプログラム可能なプロセッサによって実行することができる。処理の全部または一部は、専用論理回路、例えば、ＦＰＧＡ（フィールド・プログラマブル・ゲート・アレイ）及び／又はＡＳＩＣ（特定用途向け集積回路）として実施することができる。
【００５１】
コンピュータプログラムの実行に適したプロセッサは、例えば、汎用および専用マイクロプロセッサの両方、および１以上の任意の種類のデジタルコンピュータのプロセッサを含んでも良い。一般に、プロセッサは、読み出し専用の記憶領域またはランダムアクセス記憶領域あるいはその両方から命令およびデータを受け取る。コンピュータの要素（サーバを含む）は、命令を実行する１以上のプロセッサ、及び命令およびデータを保存するための複数の記憶領域の装置を含む。一般に、コンピュータはまた、それからデータを受け取るように結合され、又はそれへデータを転送し、またはその両方を、実行する様に結合された１以上の機械可読記憶媒体を含み、それらには、例えば、データ保存用の大容量記憶装置、例えば、磁気、磁気光ディス、又は光ディスがある。
【００５２】
コンピュータプログラム命令およびデータを具体化するのに適している有形の、物理的に有態なハードウェア記憶装置には、あらゆる形態の非揮発性記憶装置を含み、その例としては、半導体記憶域装置、例えば、ＥＰＲＯＭ、ＥＥＰＲＯＭ、及びフラッシュ記憶領域装置；磁気ディスク、例えば、内付ハードディスクやリムーバブルディスク；磁気‐光ディスク及びＣＤ−ＲＯＭ及びＤＶＤ−ＲＯＭディスク、揮発性のコンピュータ・メモリ、例えば、静的および動的ＲＡＭ、並びに消去可能なメモリ、例えば、フラッシュメモリを含む。
【００５３】
さらに、図に示された論理フローは、望ましい結果を達成するために、示された特定の順序、または連続して行われる（ｓｅｑｕｅｎｔｉａｌ）順序を必要としない。加えて、他の動作が提供されてもよいし、または動作を記述されたフローから除去することができ、また他の成分を加えてもよいし、または記載のシステムから除去しても良い。同様に、図に示された動作が異なる部分によって実行されても良いし、または連結されてもよい。
本明細書に記載の異なる実施形態の要素は、具体的に上で述べられていない他の実施形態を形成する様に組み合わされてもよい。要素にその動作に悪影響を与えることなく、本明細書に記載されるプロセス、コンピュータプログラム、ウエッブページから取り除いてもよい。さらに、様々な個別の要素は、本明細書に記載の機能を実行するための１以上の個々の要素と結合されてもよい。
【００５４】
具体的に本明細書中に記載されていない他の実施も、以下の特許請求の範囲に含まれる。
【図１】
2017512021.tif 000003
【図２】
2017512021.tif 000004
【図３】
2017512021.tif 000005
【図４】
2017512021.tif 000006
【図５】
2017512021.tif 000007
【図６】
2017512021.tif 000008
【国際調査報告】
2017512021.tif 000009